(57)【要約】【課題】浴室の利用時に実質的な空間の利用面積の増加及び本当の開放感が得られる浴室構造及び建物を得る。【解決手段】浴槽３４が設けられた浴室１８と、浴室１８へ入退室するためのドア３８と、浴室１８を区画し、開閉可能な仕切板４０とにより、浴室構造４１が構成されている。浴室１８を利用しないときは、ドア３８と仕切板４０が閉止され、閉止部材５０でロックされている。一方、浴室１８において入浴するときには、ドア３８を開放してロック部材５２でロックし、仕切板４０を開放してロック部材５４でロックする。浴室１８では、ドア３８及び仕切板４０の開放により洗面室１６まで空間が広がるため、浴室１８が広がった感覚が得られ、閉塞感が抑えられることで、開放感が得られる。【選択図】図１
0003137928.tif 000002
【実用新案登録請求の範囲】
【請求項１】
浴槽が設けられた浴室と、
前記浴室へ入退室するための扉と、
前記浴室を区画し、開閉可能な仕切部材と、
を有することを特徴とする浴室構造。
【請求項２】
前記仕切部材は、開放されると、前記浴室に隣接する部屋へ出入するための通路を塞ぐことを特徴とする請求項１に記載の浴室構造。
【請求項３】
前記隣接する部屋は、洗面室又はキッチンであることを特徴とする請求項１又は請求項２に記載の浴室構造。
【請求項４】
前記仕切部材が上下に複数分割され、分割された複数の仕切部材のそれぞれが単独で開閉可能となっていることを特徴とする請求項１から請求項３のいずれか１項に記載の浴室構造。
【請求項５】
前記仕切部材と前記扉は、観音開き構造とされていることを特徴とする請求項１から請求項４のいずれか１項に記載の浴室構造。
【請求項６】
前記仕切部材を開放状態でロックするロック手段を設けたことを特徴とする請求項１から請求項５のいずれか１項に記載の浴室構造。
【請求項７】
前記扉が、前記仕切部材に設けられていることを特徴とする請求項１に記載の浴室構造。
【請求項８】
前記仕切部材が、前記浴室から前記浴室に隣接する部屋へ引かれる引き戸であることを特徴とする請求項１に記載の浴室構造。
【請求項９】
請求項１から請求項８のいずれか１項に記載の浴室構造を有することを特徴とする建物。
【考案の詳細な説明】
【技術分野】
【０００１】
本考案は、浴室構造及び建物に関する。
【背景技術】
【０００２】
一般的に、建物内に設けられる浴室は、四方を側壁で囲まれており、側壁の一部に開閉可能に設けられたドアを介して、隣接する脱衣室等からの出入りが行われる。ここで、浴室としてユニットバスを用いて、ユニットバスに隣接する隣接空間との一体化を演出し、使用する者に開放感を与えるようにしたものがある（例えば、特許文献１参照）。
【０００３】
特許文献１のユニットバスの構造は、隣接空間と床面及び天井の高さを同一とし、隣接空間との間仕切りにガラスを用いることにより、ユニットバスと隣接空間とを擬似的に一体化させ、開放感を得られるようにしている。
【０００４】
しかし、特許文献１のユニットバスの構造は、ガラス間仕切りが固定されたものであり、浴室としての物理的な広さは変わらないため、浴室の面積は狭いままで、本当の開放感を得ることが難しかった。
【特許文献１】特開２００７−１０７２３６
【考案の開示】
【考案が解決しようとする課題】
【０００５】
本考案は、浴室の利用時に実質的な空間の利用面積の増加及び本当の開放感が得られる浴室構造及び建物を得ることを目的とする。
【課題を解決するための手段】
【０００６】
請求項１に記載の浴室構造は、浴槽が設けられた浴室と、前記浴室へ入退室するための扉と、前記浴室を区画し、開閉可能な仕切部材と、を有することを特徴としている。従来の浴室構造は、浴室が側壁で囲まれていたため閉塞感があった。一方、本発明では、仕切部材を開放することで浴室の空間が広がり、閉塞感が抑えられることで、開放感が得られる。
【０００７】
請求項２に記載の浴室構造は、前記仕切部材は、開放されると、前記浴室に隣接する部屋へ出入するための通路を塞ぐことを特徴としている。上記構成によれば、仕切部材で浴室に隣接する部屋へ出入するための通路を塞ぐことで、一方の部屋を浴室空間とし、他方の部屋から浴室を覗かれないようにする。
【０００８】
請求項３に記載の浴室構造は、前記隣接する部屋は、洗面室又はキッチンであることを特徴としている。上記構成によれば、隣接する部屋が洗面室又はキッチンのため、居間と比較して防水処理が多く施されている。このため、仕切部材を開放して、浴室を利用したときに水が飛散しても、床への水の染み込み等が起こりにくい。また、湯気をキッチン等に設けられた換気扇で排気できる。
【０００９】
請求項４に記載の浴室構造は、前記仕切部材が上下に複数分割され、分割された複数の仕切部材のそれぞれが単独で開閉可能となっていることを特徴としている。上記構成によれば、例えば、浴槽からの水のこぼれ具合等に応じて、分割された下側の仕切部材を閉じて、上側の仕切部材を開放することにより、隣接する部屋への水の飛散を防げる。
【００１０】
請求項５に記載の浴室構造は、前記仕切部材と前記扉は、観音開き構造とされていることを特徴としている。上記構成によれば、仕切部材と扉が観音開きすることにより、仕切部材と扉を片開きとする場合と比べて、浴室を全面開放できる。また、仕切部材が１枚の場合と比べて、隣接する部屋における仕切部材の移動領域が小さくなる。これにより、隣接する部屋の利用の自由度が上がる。
【００１１】
請求項６に記載の浴室構造は、前記仕切部材を開放状態でロックするロック手段を設けたことを特徴としている。上記構成によれば、開放された仕切部材がロック手段でロックされるので、浴室の利用中等に、仕切部材が移動して閉まることがなくなる。
【００１２】
請求項７に記載の浴室構造は、前記扉が、前記仕切部材に設けられていることを特徴としている。上記構成によれば、扉を開けなくても、仕切部材を開放するのみで開放感を得ることができる。
【００１３】
請求項８に記載の浴室構造は、前記仕切部材が、前記浴室から前記浴室に隣接する部屋へ引かれる引き戸であることを特徴としている。上記構成によれば、仕切部材が、浴室から浴室に隣接する部屋へ引かれることにより、開放感を得ることができる。
【００１４】
請求項９に記載の建物は、請求項１から請求項８のいずれか１項に記載の浴室構造を有することを特徴としている。上記構成によれば、例えば、ワンルームマンションのように建物が狭くても、仕切部材を開放することで浴室（ユニットバス）の空間が広がるので、入浴時等に開放感が得られる。
【考案の効果】
【００１５】
本発明は、上記構成としたので、浴室の利用時に実質的な空間の利用面積の増加及び本当の開放感が得られる。
【考案を実施するための最良の形態】
【００１６】
本考案の浴室構造及び建物の第１実施形態を図面に基づき説明する。図１（ａ）及び図１（ｂ）に示すように、建物としての集合住宅１０の一戸は、立設された板材からなる仕切壁１２（１２Ａ〜１２Ｆ）によって、北側に位置している玄関１４と、玄関１４の南側に隣接している洗面室１６と、洗面室１６の東側に隣接している浴室１８と、洗面室１６の南側に隣接している居室２０とに区画されている。
【００１７】
玄関１４と洗面室１６は、仕切壁１２Ｅで区画されており、洗面室１６と居室２０は、仕切壁１２Ｆで区画されている。仕切壁１２Ｅと仕切壁１２Ｆには、それぞれ矩形状の枠で囲まれた開口部からなる出入口２２、２４が形成されている。この出入口２２、２４によって、玄関１４から洗面室１６を通って居室２０まで行き来される通路２６が形成されている。
【００１８】
洗面室１６の床は、図示しない耐水性マットで覆われている。また、洗面室１６の西側には、仕切壁１２Ａ及び仕切壁１２Ｅと接して洗面台２８が設置されている。洗面台２８の上部には、水、温水供給用の図示しない蛇口を備えた凹形状の洗場３０が設けられている。
【００１９】
なお、本実施形態では洗面台２８としているが、洗場３０を、食器も洗うことができるシンクとして構成し、隣接する位置にガスコンロ等の調理器具を設けて、洗面台２８及びキッチンとしてもよい。また、洗面台２８の代わりに、キッチン単独で設置してもよい。
【００２０】
浴室１８は、北側、東側、南側の三方がそれぞれ仕切壁１２Ｄ、１２Ｂ、１２Ｃで囲まれている。浴室１８内には、浴槽３４とトイレ３６が設けられている。浴室１８の西側には、図示しない蝶番で仕切壁１２Ｄに保持された板状のドア３８と、図示しない蝶番で仕切壁１２Ｃに保持された仕切板４０とが設けられている。ここで、浴室１８、ドア３８、及び仕切板４０によって、本考案の浴室構造４１が構成されている。
【００２１】
ドア３８の洗面室１６側の側面には、開放時に仕切壁１２Ｅと接触しない位置にノブ４２が設けられている。また、仕切板４０の洗面室１６側の側面には、開放時に仕切壁１２Ｆと接触しない位置にノブ４４が設けられている。ここで、ドア３８と仕切板４０は、観音開き構造となっており、洗面室１６側へ開放され、又は、浴室１８側に閉止される。なお、ドア３８と仕切板４０の浴室１８側の側面には、それぞれを浴室１８側から開閉するときに掴む把手５６、５８（図２（ａ）参照）が設けられている。
【００２２】
ドア３８と仕切板４０は、閉止状態で相互に隣接する上面部に、鉄等からなる金属製のプレート４６、４８がそれぞれ取付けられている。一方、集合住宅１０の図示しない天井には、ドア３８と仕切板４０の閉止状態において、浴室１８側からドア３８と仕切板４０の側面上部に当接する位置に、マグネットを備えたブラケットからなる閉止部材５０が取付けられている。
【００２３】
これにより、ドア３８と仕切板４０の閉止状態では、閉止部材５０のマグネットの磁力でプレート４６、４８が引っ張られ、ドア３８と仕切板４０が開放されずに保持される。なお、ドア３８と仕切板４０は、個別に開閉してもよく、同時に開閉してもよい。閉止部材５０は、ドア３８と仕切板４０の側面下部に設けてもよい。
【００２４】
一方、集合住宅１０の図示しない天井には、開放されたドア３８が仕切壁１２Ｅと接触する状態で、プレート４６と対向する位置に、マグネットを備えたブラケットからなるロック部材５２が取付けられている。さらに、天井には、開放された仕切板４０が仕切壁１２Ｆと接触する状態で、プレート４８と対向する位置に、マグネットを備えたブラケットからなるロック部材５４が取付けられている。
【００２５】
次に、本考案の第１実施形態の作用を説明する。
【００２６】
図１（ｂ）に示すように、浴室１８を利用しないときは、ドア３８と仕切板４０が閉止され、閉止部材５０でロックされている。ここで、図２（ａ）に示すように、トイレ３６を利用するときには、ドア３８のみを開閉して浴室１８内に出入りする。
【００２７】
一方、図２（ｂ）に示すように、浴槽３４を利用して入浴するときには、ドア３８を開放してロック部材５２でロックし、仕切板４０を開放してロック部材５４でロックする。浴室１８では、ドア３８及び仕切板４０の開放により、洗面室１６まで実質的な浴室１８の空間が広がり、利用面積が増加する。これにより、閉塞感が抑えられ、開放感が得られる。浴室１８が広がることにより、浴室１８内での着替え等も容易に行える。
【００２８】
また、ドア３８及び仕切板４０によって洗面室１６の通路２６が塞がれるため、玄関１４又は居室２０から浴室１８を覗かれないようにすることができる。さらに、ドア３８は、仕切壁１２Ｅと接触して出入口２２を密閉し、仕切板４０は、仕切壁１２Ｆと接触して出入口２４を密閉するので、浴室１８内から玄関１４、居室２０へ水が飛散するのを抑えることができる。
【００２９】
また、浴室１８に隣接する部屋が洗面室１６（又はキッチン）のため、居室２０と比較して、前述の耐水性マット等の防水処理が多く施されている。このため、ドア３８、仕切板４０を開放して浴室１８を利用したときに、水が飛散しても、洗面室１６の床への水の染み込み等が起こりにくい。なお、浴室１８に隣接する部屋をキッチンとした場合は、浴室１８で発生する湯気を、キッチンに設けられた換気扇で排気できる。
【００３０】
また、ドア３８と仕切板４０が観音開きすることにより、ドア３８と仕切板４０を片開きとする場合と比べて、浴室１８を全面開放できる。また、仕切板４０が１枚の場合と比べて、洗面室１６における仕切板４０の移動領域が小さくなる。これにより、洗面室１６の利用の自由度（例えば、ラック等の備品の配置の自由度等）が上がる。さらに、開放された仕切板４０が、ロック部材５４でロックされるので、浴室１８の利用中等に、仕切板４０が浴室１８側へ移動して閉まることがなくなる。
【００３１】
次に、本考案の浴室構造及び建物の第２実施形態を図面に基づき説明する。なお、前述した第１実施形態と基本的に同一のものには、前記第１実施形態と同一の符号を付与してその説明を省略する。
【００３２】
図３（ａ）に示すように、第２実施形態では、第１実施形態の仕切板４０に替えて、仕切板６０が設けられている。仕切板６０は、上仕切板６０Ａと下仕切板６０Ｂに２分割されている。上仕切板６０Ａ、下仕切板６０Ｂは、それぞれ図示しない蝶番が取付けられ、独立して開閉可能に仕切壁１２Ｃに保持されている。下仕切板６０Ｂの高さは、浴槽３４の高さと略等しい高さとなっているが、浴槽３４の高さ以下に設定してもよい。ここで、浴室１８、ドア３８、及び仕切板６０によって、浴室構造が構成されている。
【００３３】
上仕切板６０Ａの洗面室１６側の側面には、開放時に仕切壁１２Ｆと接触しない位置にノブ６６が設けられている。上仕切板６０Ａの浴室１８側の側面には、浴室１８側から開閉するときに掴む図示しない把手が設けられている。上仕切板６０Ａの上端部と下仕切板６０Ｂの下端部には、鉄等からなる図示しない金属製のプレートがそれぞれ取付けられている。なお、下仕切板６０Ｂは、角部を手で押したり掴んだりすることにより、単独で開閉される。
【００３４】
一方、集合住宅１０の部屋の図示しない天井には、前述の閉止部材５０が取付けられており、浴室１８内の床面上における閉止部材５０と対向する位置には、閉止部材５０と同様の構成でマグネットを備えた閉止部材６８が取付けられている。ここで、上仕切板６０Ａのプレートが、マグネットの磁力によって閉止部材５０に保持され、下仕切板６０Ｂのプレートが、マグネットの磁力によって閉止部材６８に保持されることにより、上仕切板６０Ａ及び下仕切板６０Ｂが閉止されている。
【００３５】
次に、本考案の第２実施形態の作用について説明する。
【００３６】
図３（ａ）に示すように、トイレ３６を利用するときには、ドア３８のみを開閉して浴室１８内に出入りする。
【００３７】
一方、図３（ｂ）に示すように、浴槽３４を利用して入浴するときには、ドア３８を開放してロック部材５２でロックし、上仕切板６０Ａを開放してロック部材５４でロックする。浴室１８では、ドア３８及び上仕切板６０Ａの開放により洗面室１６まで実質的な空間が広がり、利用面積が増加する。このため、浴室１８が広がった感覚が得られ、閉塞感が抑えられることで、開放感が得られる。
【００３８】
ここで、下仕切板６０Ｂの高さが浴槽３４の高さと略等しいため、浴槽３４に浸かっても視界に下仕切板６０Ｂが入らない。このため、下仕切板６０Ｂによって閉塞感が与えられることがなくなる。また、下仕切板６０Ｂを閉止していることにより、浴槽３４からこぼれた水が下仕切板６０Ｂで塞き止められるので、洗面室１６への水の飛散を防げる。
【００３９】
なお、下仕切板６０Ｂは、浴槽３４からの水のこぼれ具合等に応じて開放させ、出入口２４を密閉させて、浴室１８及び洗面室１６内が覗かれないようにしてもよい。
【００４０】
次に、第１、第２実施形態の建物及び浴室構造の他の実施例として、図４（ａ）〜図４（ｃ）に示す３つの実施例が挙げられる。図４（ａ）に示すように、集合住宅７０の内の一戸は、仕切壁７２によって、北側に位置する居室７４と、居室７４の南西側に隣接配置された洗面室７６と、居室７４の南東側に隣接配置された浴室７８とに区画されている。
【００４１】
洗面室７６と浴室７８の間には、図示しない蝶番で仕切壁７２Ａ、７２Ｂにそれぞれ保持され、洗面室７６内へ開放される仕切板８２、８４が設けられている。また、浴室７８の北側には、図示しない蝶番で仕切壁７２Ａに保持され、居室７４内へ開放されるドア８０が設けられている。ここで、浴室７８、ドア８０、及び仕切板８２、８４によって、浴室構造が構成されている。
【００４２】
集合住宅７０において、浴室７８を利用するとき、ドア８０を開けて浴室７８内に入り、ドア８０を閉めてから、仕切板８２、８４を洗面室７６へ開放する。そして、図示しないマグネット等のロック手段によって、仕切板８２、８４を仕切壁７２Ａ、７２Ｂへロックし、洗面室７６の出入口８６を塞ぐ。このように、ドア８０と仕切板８２、８４の開放方向を異なるようにしても、浴室７８において開放感を得ることができる。
【００４３】
次に、図４（ｂ）に示すように、集合住宅９０の内の一戸は、仕切壁９２によって、南側に位置する居室９４と、居室９４の北西側に隣接配置された洗面室９６と、居室９４の北東側に隣接配置された浴室９８とに区画されている。
【００４４】
洗面室９６と浴室９８の間には、図示しない蝶番で仕切壁９２Ａに保持され、洗面室９６内へ開放される１枚の大きな仕切板１００が設けられている。また、仕切板１００には、略矩形状の開口部１０２が形成されている。開口部１０２には、図示しない蝶番で仕切板１００に保持され、洗面室９６内へ開放されるドア１０４が設けられている。ここで、浴室９８、ドア１０４、及び仕切板１００によって、浴室構造が構成されている。
【００４５】
集合住宅９０において、浴室９８を利用するとき、ドア１０４を開けて浴室９８内に入り、ドア１０４を閉めてから、仕切板１００全体を洗面室９６へ開放する。そして、図示しないマグネット等のロック手段によって、仕切板１００を仕切壁９２Ａへロックし、洗面室９６の出入口１０６を塞ぐ。このように、ドア１０４が仕切板１００に開閉可能に設けられている場合でも、浴室９８において開放感を得ることができる。
【００４６】
次に、図４（ｃ）に示すように、集合住宅１１０の内の一戸は、仕切壁１１２によって、北側に位置する居室１１４と、居室１１４の南西側に隣接配置された洗面室１１６と、居室１１４の南東側に隣接配置された浴室１１８とに区画されている。
【００４７】
洗面室１１６と浴室１１８の間には、矩形板状で同じ大きさの４つの仕切部材１２０Ａ、１２０Ｂ、１２０Ｃ、１２０Ｄからなる仕切板１２０が設けられている。仕切板１２０は、洗面室１１６と浴室１１８の間を略半分ほど閉止する大きさとなっている。また、洗面室１１６と浴室１１８の間で仕切板１２０に隣接する位置には、図示しない蝶番で仕切壁１１２Ａに保持され、洗面室１１６内へ開放されるドア１２６が設けられている。ここで、浴室１１８、ドア１２６、及び仕切板１２０によって、浴室構造が構成されている。
【００４８】
一方、仕切部材１２０Ａ〜１２０Ｄの各上面には、図示しない溝部が形成されている。また、図示しない天井には、仕切部材１２０Ａ〜１２０Ｄの溝部がスライド可能に係合されたレール部材１２２が取付けられている。レール部材１２２は、全体が略Ｌ字形状に曲げられており、仕切部材１２０Ａ〜１２０Ｄが、洗面室１１６と浴室１１８の間に配置され、又は、洗面室１１６の出入口１２４を塞ぐ位置に配置されるようになっている。
【００４９】
ここで、集合住宅１１０において、浴室１１８を利用するとき、ドア１２６を開けて図示しないマグネット等のロック部材でドア１２６をロックする。そして、レール部材１２２に沿って、仕切部材１２０Ａ〜１２０Ｄを順次スライド移動させ、洗面室１１６の出入口１２４を塞ぐ。このように、仕切板１２０を複数の仕切部材１２０Ａ〜１２０Ｄで構成し、引き戸のようにレール部材１２２に沿って移動させる場合でも、浴室１１８において開放感を得ることができる。
【００５０】
なお、本考案は上記の実施形態に限定されない。
【００５１】
建物は、集合住宅１０に限定されず、一軒家であってもよい。また、集合住宅１０は、マンション、アパート、寮、長屋、寄宿舎、下宿、老人ホーム（又は老人ホームに類する施設）、病院、診療所、旅館、ホテル等であってもよい。また、浴室１８に隣接する部屋は、洗面室、キッチンだけでなく、洗濯室、化粧室であってもよい。さらに、洗面室１６に隣接する居室２０は、リビング、ダイニング、寝室、客室、休憩室、宿直室、病室等であってもよい。
【００５２】
また、建物としての集合住宅１０をワンルームマンションとして、浴室１８の内側に洗面台を設け、浴室１８をユニットバスとして構成してもよい。この場合、ユニットバスの側壁が開放されることになる。また、ノブ４２、４４の代わりに断面Ｌ字状、棒状、球状等の形状からなる把手を設けてもよい。浴室１８内にトイレ３６が設けられていなくてもよい。
【００５３】
ドア３８は、出入口２２の構成・配置に応じて、浴室１８側へ開放されるものであってもよい。また、ドア３８、仕切板４０は、出入口２２、２４を密閉する状態が最も好ましいが、それに限定されず、浴室１８からの水の飛散状態、又は玄関１４、居室２０からの視認状態に応じて、仕切壁１２Ｅ、１２Ｆとの間に隙間をあけるようにしてもよい。
【００５４】
仕切板６０は、２分割だけでなく３分割以上の複数で分割させてもよい。また、複数分割した仕切板の一部を交互に開閉させるなどして、スリット状の仕切壁を形成させるようにしてもよい。
【００５５】
ドア３８、仕切板４０の開放状態でのロック手段は、マグネットの磁力を用いたロック部材５２、５４以外に、環状部材を引掛部材に引っ掛けて保持させるものや、仕切壁１２、ドア３８、仕切板４０に形成した凹凸の嵌合を用いたものであってもよい。また、蝶番（ヒンジ部材）自体にドア、仕切板を保持する機構が設けられたものであってもよい。なお、ドア３８、仕切板４０が開放時にロックしなくても静止する場所では、ロック手段を用いなくてもよい。
【図面の簡単な説明】
【００５６】
【図１】（ａ）本考案の第１実施形態に係る建物及び浴室構造の平面図である。（ｂ）本考案の第１実施形態に係る建物の斜視図である。
【図２】本考案の第１実施形態に係る建物及び浴室構造の斜視図である。
【図３】本考案の第２実施形態に係る建物の斜視図である。
【図４】本考案の他の実施例を示す平面図である。
【符号の説明】
【００５７】
１０  集合住宅（建物）
１６  洗面室（洗面室）
１８  浴室（浴室）
２２  出入口（通路）
２４  出入口（通路）
２６  通路（通路）
３４  浴槽（浴槽）
３８  ドア（扉）
４０  仕切板（仕切部材）
４１  浴室構造（浴室構造）
５４  閉止部材（ロック手段）
６０  仕切板（仕切部材）
６０Ａ  仕切板（仕切部材）
６０Ｂ  仕切板（仕切部材）
７０  集合住宅（建物）
７８  浴室（浴室）
８２  仕切板（仕切部材）
８４  仕切板（仕切部材）
９０  集合住宅（建物）
９８  浴室（浴室）
１００  仕切板（仕切部材）
１１０  集合住宅（建物）
１１８  浴室（浴室）
１２０  仕切板（仕切部材、引き戸）
【図１】
0003137928.tif 000003
【図２】
0003137928.tif 000004
【図３】
0003137928.tif 000005
【図４】
0003137928.tif 000006